(57)【要約】【課題】  機械室の有無に関わらず共通に使用できるエレベータ制御装置を提供する。【解決手段】  エレベータ制御装置においては、制御部は、位置設定部に機械室内が設定され且つかごが昇降している際においては、温度検出部が検出する検出温度に関わらず、送風量が第１送風量となるように、第１信号を出力し、制御部は、位置設定部に昇降路内が設定され且つかごが昇降している際において、検出温度が設定温度以上である場合には、送風量が第２送風量となるように、第２信号を出力する一方で、検出温度が設定温度未満である場合には、送風量が第２送風量よりも小さい第３送風量となるように、第３信号を出力する。【選択図】  図６
2019119552.tif 000002
【特許請求の範囲】
【請求項１】
かごが昇降する際に発熱する発熱部品を冷却するために送風する送風部を、制御するエレベータ制御装置であって、
前記送風部の設置位置が機械室内又は昇降路内の何れかであることを設定する位置設定部と、
温度を検出する温度検出部と、
前記送風部の送風量を制御する制御部と、を備え、
前記制御部は、前記位置設定部に機械室内が設定され且つ前記かごが昇降している際においては、前記温度検出部が検出する検出温度に関わらず、前記送風量が第１送風量となるように、第１信号を出力し、
前記制御部は、前記位置設定部に昇降路内が設定され且つ前記かごが昇降している際において、前記検出温度が設定温度以上である場合には、前記送風量が第２送風量となるように、第２信号を出力する一方で、前記検出温度が前記設定温度未満である場合には、前記送風量が前記第２送風量よりも小さい第３送風量となるように、第３信号を出力する、エレベータ制御装置。
【請求項２】
前記制御部は、前記位置設定部に機械室内が設定され且つ前記かごの昇降が停止している際において、前記検出温度が設定温度以上である場合には、前記送風量が前記第１送風量となるように、前記第１信号を出力する一方で、前記検出温度が前記設定温度未満である場合には、前記送風量が前記第１送風量よりも小さい第４送風量となるように、第４信号を出力し、
前記制御部は、前記位置設定部に昇降路内が設定され且つ前記かごの昇降が停止している際において、前記検出温度が設定温度以上である場合には、前記送風量が前記第２送風量となるように、前記第２信号を出力する一方で、前記検出温度が前記設定温度未満である場合には、前記送風量が前記第３送風量となるように、前記第３信号を出力する、請求項１に記載のエレベータ制御装置。
【請求項３】
前記制御部は、前記送風量を制御するために、オン信号及びオフ信号を一つずつの二つの信号のみを出力し、
前記第１信号及び前記第４信号のうち、一方は、オン信号であり、他方は、オフ信号であり、
前記第２信号及び前記第３信号のうち、一方は、前記オン信号であり、他方は、前記オフ信号である、請求項２に記載のエレベータ制御装置。
【発明の詳細な説明】
【技術分野】
【０００１】
本発明は、エレベータ制御装置に関する。
【背景技術】
【０００２】
従来、例えば、エレベータは、かごが昇降する際に発熱する発熱部品と、発熱部品を冷却するために送風する送風部と、送風部を制御するエレベータ制御装置とを備えている（例えば、特許文献１）。エレベータにおいては、機械室有りのエレベータと、機械室無しのエレベータとが、存在している。そして、機械室有りのエレベータにおいては、発熱部品及び送風部は、機械室内に設置される一方で、機械室無しのエレベータにおいては、発熱部品及び送風部は、昇降路内に設置される。
【０００３】
ところで、送風部が昇降路内に設置された場合には、送風部から発生する音が、周りへ伝わることによって、例えば、かご内のユーザや送風部近くの乗場（例えば、最上階又は最下階の乗場）で待機するユーザ等に不快感を与えるという問題がある。それに対して、機械室有りのエレベータ専用のエレベータ制御装置と、機械室無しのエレベータ専用のエレベータ制御装置とを製造して所有することは、さまざまな観点からデメリットを有している。
【先行技術文献】
【特許文献】
【０００４】
【特許文献１】特開２００５−１１０４２８号公報
【発明の概要】
【発明が解決しようとする課題】
【０００５】
そこで、課題は、機械室の有無に関わらず共通に使用できるエレベータ制御装置を提供することである。
【課題を解決するための手段】
【０００６】
エレベータ制御装置は、かごが昇降する際に発熱する発熱部品を冷却するために送風する送風部を、制御するエレベータ制御装置であって、前記送風部の設置位置が機械室内又は昇降路内の何れかであることを設定する位置設定部と、温度を検出する温度検出部と、前記送風部の送風量を制御する制御部と、を備え、前記制御部は、前記位置設定部に機械室内が設定され且つ前記かごが昇降している際においては、前記温度検出部が検出する検出温度に関わらず、前記送風量が第１送風量となるように、第１信号を出力し、前記制御部は、前記位置設定部に昇降路内が設定され且つ前記かごが昇降している際において、前記検出温度が設定温度以上である場合には、前記送風量が第２送風量となるように、第２信号を出力する一方で、前記検出温度が前記設定温度未満である場合には、前記送風量が前記第２送風量よりも小さい第３送風量となるように、第３信号を出力する。
【０００７】
また、エレベータ制御装置においては、前記制御部は、前記位置設定部に機械室内が設定され且つ前記かごの昇降が停止している際において、前記検出温度が設定温度以上である場合には、前記送風量が前記第１送風量となるように、前記第１信号を出力する一方で、前記検出温度が前記設定温度未満である場合には、前記送風量が前記第１送風量よりも小さい第４送風量となるように、第４信号を出力し、前記制御部は、前記位置設定部に昇降路内が設定され且つ前記かごの昇降が停止している際において、前記検出温度が設定温度以上である場合には、前記送風量が前記第２送風量となるように、前記第２信号を出力する一方で、前記検出温度が前記設定温度未満である場合には、前記送風量が前記第３送風量となるように、前記第３信号を出力する、という構成でもよい。
【０００８】
また、エレベータ制御装置においては、前記制御部は、前記送風量を制御するために、オン信号及びオフ信号を一つずつの二つの信号のみを出力し、前記第１信号及び前記第４信号のうち、一方は、オン信号であり、他方は、オフ信号であり、前記第２信号及び前記第３信号のうち、一方は、前記オン信号であり、他方は、前記オフ信号である、という構成でもよい。
【発明の効果】
【０００９】
以上の如く、エレベータ制御装置は、機械室の有無に関わらず共通に使用できる、という優れた効果を奏する。
【図面の簡単な説明】
【００１０】
【図１】図１は、機械室有りエレベータの概要図である。
【図２】図２は、機械室無しエレベータの概要図である。
【図３】図３は、本実施形態に係るエレベータ制御装置の概要図である。
【図４】図４は、同実施形態に係るエレベータ制御装置の制御ブロック図である。
【図５】図５は、同実施形態に係るエレベータ制御装置の制御フロー図である。
【図６】図６は、同実施形態に係るエレベータ制御装置の入出力一覧表である。
【図７】図７は、他の実施形態に係るエレベータ制御装置の概要図である。
【図８】図８は、さらに他の実施形態に係るエレベータ制御装置の入出力一覧表である。
【図９】図９は、さらに他の実施形態に係るエレベータ制御装置の入出力一覧表である。
【図１０】図１０は、さらに他の実施形態に係るエレベータ制御装置の制御ブロック図である。
【図１１】図１１は、同実施形態に係るエレベータ制御装置の入出力一覧表である。
【図１２】図１２は、さらに他の実施形態に係るエレベータ制御装置の入出力一覧表である。
【図１３】図１３は、さらに他の実施形態に係るエレベータ制御装置の入出力一覧表である。
【発明を実施するための形態】
【００１１】
以下、エレベータ制御装置における一実施形態について、図１〜図６を参照しながら説明する。なお、各図（図７以降も同様）において、図面の寸法比と実際の寸法比とは、必ずしも一致しておらず、また、各図面の間での寸法比も、必ずしも一致していない。
【００１２】
まず、機械室有りのエレベータと機械室無しのエレベータとについて、図１及び図２を参照しながら説明する。
【００１３】
図１に示すように、機械室有りのエレベータ１０は、ユーザが乗るためのかご１１と、一端部がかご１１に接続されるロープ１２と、ロープ１２の他端部に接続される釣合錘１３とを備えている。エレベータ１０は、ロープ１２を駆動してかご１１を昇降させる巻上機１４と、各構成を制御するエレベータ制御装置（以下、単に「制御装置」ともいう）１とを備えている。
【００１４】
エレベータ１０は、各乗場Ｘ１に配置される複数の乗場扉１５と、ユーザが情報を入力するための入力部１６とを備えている。入力部１６は、かご１１の内部に配置されるかご入力部１６ａと、各乗場Ｘ１に配置される複数の乗場入力部１６ｂとを備えている。なお、巻上機１４及び制御装置１は、機械室Ｘ３の内部に配置されている。
【００１５】
図２に示すように、機械室無しのエレベータ１０は、ユーザが乗るためのかご１１と、かご１１のシーブに巻き掛けられるロープ１２と、ロープ１２が巻き掛けられるシーブを有する釣合錘１３とを備えている。なお、ロープ１２の端部は、それぞれ昇降路Ｘ２の上部に固定されている。
【００１６】
エレベータ１０は、ロープ１２を駆動してかご１１及び釣合錘１３を昇降させる巻上機１４と、各構成を制御する制御装置１とを備えている。また、エレベータ１０は、乗場扉１５及び入力部１６（かご入力部１６ａ及び乗場入力部１６ｂ）と、昇降路Ｘ２の上部に吊られる吊車１７とを備えている。なお、巻上機１４及び制御装置１は、何れも昇降路Ｘ２の内部に配置されている。
【００１７】
図２においては、巻上機１４及び制御装置１の設置位置から最も近い乗場Ｘ１は、最下階の乗場Ｘ１となっている。なお、巻上機１４及び制御装置１の設置位置は、これに限られず、例えば、巻上機１４及び制御装置１の設置位置から最も近い乗場Ｘ１は、最上階の乗場Ｘ１となっていてもよい。
【００１８】
図３及び図４に示すように、制御装置１は、かご１１を昇降させるために巻上機１４を駆動する巻上駆動部２を備えている。なお、巻上駆動部２は、例えば、インバータを構成するパワーモジュールであって、かご１１が昇降する際に発熱する発熱部品２である。なお、かご１１が昇降する際に発熱する発熱部品２は、巻上駆動部２だけでなく（又は、巻上駆動部２ではなく）、例えば、制御基板やプリント基板などを含んでいてもよい。
【００１９】
制御装置１は、発熱部品（巻上駆動部）２を冷却するために送風する送風部３と、巻上駆動部２の動作（回転方向及び回転速度）及び送風部３の送風量を制御する制御部４とを備えている。また、制御装置１は、送風部３の設置位置が設定される位置設定部５と、設定温度が設定される温度設定部６と、温度を検出する温度検出部７とを備えている。そして、制御装置１は、制御部４からの出力信号を受け、変換して送風部３に出力する送風駆動部８を備えている。
【００２０】
制御装置１は、発熱部品（巻上駆動部）２、送風部３及び温度検出部７を収容する第１盤１ａと、制御部４、位置設定部５及び温度設定部６を収容する第２盤１ｂとを備えている。また、制御装置１は、第１盤１ａ内に収容される各構成と第２盤１ｂ内に収容される各構成との間で情報を送受信するための制御線１ｃを備えている。
【００２１】
なお、図３においては、盤１ａ，１ｂは、二つ備えられているが、斯かる構成に限られず、例えば、一つ又は三つ以上備えられていてもよい。また、どの盤にどの構成が収容されるかについては、送風部３が発熱部品２を冷却可能であることを満たす限り、特に限定されない。
【００２２】
送風部３は、第１盤１ａの内部に空気を入れる給気部３ａと、第１盤１ａから外部へ空気を出す排気部３ｂとを備えている。例えば、給気部３ａ及び排気部３ｂは、ファンやブロワといった送風機とすることができる。なお、送風部３は、発熱部品２を冷却するために送風可能であればよく、例えば、送風部３は、給気部３ａ及び排気部３ｂの両方に送風機を備えている、という構成だけでなく、給気部３ａ又は排気部３ｂの何れか一方のみに送風機を備える、という構成でもよい。
【００２３】
制御部４は、各種情報を記憶する記憶部４ａと、記憶部４ａで記憶される情報や入力される情報に基づいて演算する演算部４ｂとを備えている。そして、制御部４は、巻上機１４を制御するために、演算部４ｂで演算した情報に基づいて巻上駆動部２を制御する巻上制御部４ｃを備えている。
【００２４】
また、制御部４は、送風部３の送風量（具体的には、発熱部品２に送られる風量）を制御するために、演算部４ｂで演算した情報に基づいて送風駆動部８を制御する送風制御部４ｄを備えている。本実施形態においては、送風制御部４ｄは、送風機の回転速度を制御することによって、送風部３の送風量を制御している。
【００２５】
位置設定部５は、発熱部品２及び送風部３の設置位置が「機械室Ｘ３内」又は「昇降路Ｘ２内」の何れかであることを設定する。なお、位置設定部５の構成は、特に限定されず、例えば、切り替えスイッチの選択で設定される、という構成でもよく、また、制御部４を構成するＣＰＵに対して、ＣＰＵに接続されたパソコンを経由してパラメータを入力する（書き込む）ことで設定される、という構成でもよい。
【００２６】
温度設定部６は、送風部３の送風量を制御するための基準となる設定温度を設定する。なお、温度設定部６の構成は、特に限定されず、例えば、ボリュームスイッチの選択で設定される、という構成でもよく、また、制御部４を構成するＣＰＵに対して、ＣＰＵに接続されたパソコンを経由してパラメータを入力する（書き込む）ことで設定される、という構成でもよい。
【００２７】
また、設定温度は、特に限定されないが、例えば、５０〜６０℃としてもよい。なお、設定温度は、温度設定部６で設定される、という構成に限られず、例えば、記憶部４ａに記憶された既定値（不変値）である、という構成でもよい。
【００２８】
温度検出部７は、発熱部品２の温度を直接的に又は間接的に検出している。なお、温度検出部７の構成は、特に限定されず、例えば、温度センサとしてもよく、そして、発熱部品２の近傍に配置されて発熱部品２の表面又は近傍の温度を測定してもよく、また、第１盤１ａから排出される空気の温度を測定してもよい。
【００２９】
送風駆動部８は、変圧器や各制御回路を備えている。そして、送風駆動部８は、制御部４からの信号に基づいて、送風部３の送風機に所定の電圧を供給する。例えば、送風駆動部８は、制御部４からオン信号を受けた際に、送風部３の送風機に定格電圧を供給する一方で、制御部４からオフ信号を受けた際に、送風部３の送風機に定格電圧から降圧させた電圧を供給してもよい。
【００３０】
本実施形態に係るエレベータ制御装置１の構成については以上の通りであり、次に、本実施形態に係るエレベータ制御装置１の制御方法について、図５及び図６を参照しながら説明する。
【００３１】
図５に示すように、発熱部品２及び送風部３の設置位置が、位置設定部５によって、「機械室Ｘ３内」と設定されている場合（Ｓ１０の「Ｙ」）には、機械室有りエレベータ用の制御Ｓ２０〜Ｓ２５が行われる。反対に、発熱部品２及び送風部３の設置位置が、位置設定部５によって、「昇降路Ｘ２内」と設定されている場合（Ｓ１０の「Ｎ」）には、機械室無しエレベータ用の制御Ｓ３０〜Ｓ３４が行われる。即ち、制御装置１は、機械室Ｘ３の有無に関わらず共通に使用されつつも、機械室Ｘ３の有無で異なる制御を行っている。
【００３２】
まず、機械室有りエレベータ用の制御Ｓ２０〜Ｓ２５について、説明する。
【００３３】
かご１１が昇降している場合（Ｓ２０の「Ｙ」）には、温度検出部７が検出する検出温度に関わらず、制御部４から送風部３に向けて、第１信号が出力される（Ｓ２１）。これにより、送風部３の送風量は、第１送風量となる（Ｓ２２）。なお、本実施形態においては、第１信号は、オン信号（例えば、２４Ｖ）であり、第１送風量は、大風量である。
【００３４】
そして、かご１１の昇降が停止している場合（Ｓ２０の「Ｎ」）において、検出温度が、温度設定部６によって設定された設定温度以上である場合（Ｓ２３の「Ｙ」）には、制御部４から送風部３に向けて、第１信号が出力される（Ｓ２１）。これにより、送風部３の送風量は、第１送風量となる（Ｓ２２）。
【００３５】
一方、かご１１の昇降が停止している場合（Ｓ２０の「Ｎ」）において、検出温度が設定温度未満である場合（Ｓ２３の「Ｎ」）には、制御部４から送風部３に向けて、第４信号が出力される（Ｓ２４）。これにより、送風部３の送風量は、第４送風量となる（Ｓ２５）。なお、本実施形態においては、第４信号は、オフ信号（例えば、０Ｖ）であり、第４送風量は、小風量（例えば、大風量の０％〜３０％）である。
【００３６】
したがって、図６に示すように、検出温度が設定温度以上である場合は、送風量が大風量となるため、発熱部品２を確実に冷却することができる。これにより、発熱部品２の過熱を確実に抑制することができている。
【００３７】
また、かご１１が昇降している際に、発熱部品２が発熱するため、検出温度が設定温度未満である場合でも、送風量が大風量となっている。これにより、発熱部品２の過熱を確実に抑制することができている。
【００３８】
一方、かご１１の昇降が停止している際には、発熱部品２からの発熱が殆どないため、検出温度が設定温度未満である場合は、発熱部品２を過剰に冷却する必要はない。そこで、斯かる状況においては、送風量が小風量となっているため、不必要な電力消費を抑制することができている。
【００３９】
次に、機械室無しエレベータ用の制御Ｓ３０〜Ｓ３４について、図５に戻って説明する。
【００４０】
検出温度が設定温度以上である場合（Ｓ３０の「Ｙ」）には、制御部４から送風部３に向けて、第２信号が出力される（Ｓ３１）。これにより、送風部３の送風量は、第２送風量となる（Ｓ３２）。なお、本実施形態においては、第２信号は、オン信号（例えば、２４Ｖ）であり、第２送風量は、第１送風量と同じ大風量である。
【００４１】
一方、検出温度が設定温度未満である場合（Ｓ３０の「Ｎ」）には、制御部４から送風部３に向けて、第３信号が出力される（Ｓ３３）。これにより、送風部３の送風量は、第３送風量となる（Ｓ３４）。なお、本実施形態においては、第３信号は、オフ信号（例えば、０Ｖ）であり、第３送風量は、第４送風量と同じ小風量（例えば、大風量の６０％〜８０％）である。
【００４２】
したがって、図６に示すように、検出温度が設定温度以上である場合は、かご１１の稼働状況（昇降時、停止時）に関わらず、送風量が大風量となるため、発熱部品２を確実に冷却することができる。これにより、発熱部品２の過熱を確実に抑制することができている。
【００４３】
また、かご１１が昇降している際には、かご１１が送風部３の近くに位置している可能性がある。そこで、検出温度が設定温度未満である場合には、送風量が小風量となっている。これにより、送風部３の音がかご１１内のユーザに伝わることを抑制することができている。
【００４４】
一方、かご１１の昇降が停止している際には、発熱部品２からの発熱が殆どない。しかしながら、発熱部品２が狭い昇降路Ｘ２内に配置されているため、発熱部品２の放熱環境があまり良好でなく、また、発熱部品２の温度が上昇し易い。そこで、検出温度が設定温度未満である場合には、送風量が小風量となっている。これにより、発熱部品２を予冷することができる。
【００４５】
したがって、かご１１の昇降が開始した時に検出温度が直ぐに設定温度以上になることを抑制することができるため、送風部３の送風量が直ぐに大風量になることを抑制することができる。よって、送風部３の音がかご１１内のユーザに伝わることを抑制することができている。
【００４６】
なお、本実施形態においては、第２信号は、第１信号と同じオン信号であり、第２送風量は、第１送風量と同じ大風量である。また、本実施形態においては、第３信号は、第４信号と同じオフ信号であり、第３送風量は、第４送風量と同じ小風量である。したがって、制御線１ｃのうち、送風部３の制御に使用する本数は、二本（一つの信号線と一つのコモン線）だけでよい。したがって、例えば、制御線１ｃが多芯ケーブルである場合には、制御線１ｃの他の線を他の信号に使用することができるため、制御線１ｃを有効利用することができる。
【００４７】
以上より、本実施形態に係るエレベータ制御装置１は、かご１１が昇降する際に発熱する発熱部品２を冷却するために送風する送風部３を、制御するエレベータ制御装置１であって、前記送風部３の設置位置が機械室Ｘ３内又は昇降路Ｘ２内の何れかであることを設定する位置設定部５と、温度を検出する温度検出部７と、前記送風部３の送風量を制御する制御部４と、を備え、前記制御部４は、前記位置設定部５に機械室Ｘ３内が設定され且つ前記かご１１が昇降している際においては、前記温度検出部７が検出する検出温度に関わらず、前記送風量が第１送風量となるように、第１信号を出力し、前記制御部４は、前記位置設定部５に昇降路Ｘ２内が設定され且つ前記かご１１が昇降している際において、前記検出温度が設定温度以上である場合には、前記送風量が第２送風量となるように、第２信号を出力する一方で、前記検出温度が前記設定温度未満である場合には、前記送風量が前記第２送風量よりも小さい第３送風量となるように、第３信号を出力する。
【００４８】
斯かる構成によれば、送風部３が機械室Ｘ３内に設置されている場合には、送風部３の音がかご１１内のユーザに伝わり難いため、制御部４は、かご１１が昇降している際に、温度検出部７が検出する検出温度に関わらず、第１信号を出力する。これにより、かご１１が昇降している際に、送風部３の送風量が常に第１送風量となるため、発熱部品２を常に冷却することができる。
【００４９】
また、送風部３が昇降路Ｘ２内に設置されている場合には、送風部３の音がかご１１内のユーザに伝わる可能性がある。そこで、送風部３が昇降路Ｘ２内に設置され且つかご１１が昇降している際において、検出温度が設定温度未満である場合には、制御部４は、第３信号を出力する。これにより、発熱部品２を冷却する必要性が低い場合には、送風部３の送風量が第２送風量よりも小さい第３送風量となるため、送風部３の音がかご１１内のユーザに伝わることを抑制することができる。
【００５０】
なお、送風部３が昇降路Ｘ２内に設置され且つかご１１が昇降している際において、検出温度が設定温度以上である場合には、制御部４は、第２信号を出力する。これにより、発熱部品２を冷却する必要性が高い場合には、送風部３の送風量が第２送風量となるため、発熱部品２を冷却することができる。
【００５１】
また、本実施形態に係るエレベータ制御装置１においては、前記制御部４は、前記位置設定部５に機械室Ｘ３内が設定され且つ前記かご１１の昇降が停止している際において、前記検出温度が設定温度以上である場合には、前記送風量が前記第１送風量となるように、前記第１信号を出力する一方で、前記検出温度が前記設定温度未満である場合には、前記送風量が前記第１送風量よりも小さい第４送風量となるように、第４信号を出力し、前記制御部４は、前記位置設定部５に昇降路Ｘ２内が設定され且つ前記かご１１の昇降が停止している際において、前記検出温度が設定温度以上である場合には、前記送風量が前記第２送風量となるように、前記第２信号を出力する一方で、前記検出温度が前記設定温度未満である場合には、前記送風量が前記第３送風量となるように、前記第３信号を出力する、という構成である。
【００５２】
斯かる構成によれば、位置設定部５に機械室Ｘ３内が設定され且つかご１１の昇降が停止している際において、検出温度が設定温度以上である場合には、制御部４は、第１信号を出力する。これにより、発熱部品２の発熱が殆どない状態であっても、発熱部品２が高温であって、発熱部品２を冷却する必要性が高い場合には、送風量が第１送風量となるため、発熱部品２を冷却することができる。
【００５３】
それに対して、位置設定部５に機械室Ｘ３内が設定され且つかご１１の昇降が停止している際において、検出温度が設定温度未満である場合には、制御部４は、第４信号を出力する。これにより、発熱部品２を冷却する必要性が低い場合には、送風量が第１送風量よりも小さい第４送風量となるため、不要な電力消費を抑制することができる。
【００５４】
一方、前記位置設定部５に昇降路Ｘ２内が設定され且つかご１１の昇降が停止している際において、検出温度が設定温度以上である場合には、制御部４は、第２信号を出力する。これにより、発熱部品２の発熱が殆どない状態であっても、発熱部品２が高温であって、発熱部品２を冷却する必要性が高い場合には、送風量が第２送風量となるため、発熱部品２を冷却することができる。
【００５５】
それに対して、かご１１の昇降が停止し且つ検出温度が設定温度未満である場合には、発熱部品２を冷却する必要性が低いものの、制御部４は、第３信号を出力する。これにより、送風量が第３送風量となるため、発熱部品２を充分に冷却できる。したがって、かご１１の昇降の開始時に検出温度が直ぐに設定温度以上になることを抑制することができるため、送風量が直ぐに第２送風量になることを抑制することができる。よって、送風部３の音がかご１１内のユーザに伝わることを抑制することができる。
【００５６】
また、本実施形態に係るエレベータ制御装置１においては、前記制御部４は、前記送風量を制御するために、オン信号及びオフ信号を一つずつの二つの信号のみを出力し、前記第１信号及び前記第４信号のうち、一方は、オン信号であり、他方は、オフ信号であり、前記第２信号及び前記第３信号のうち、一方は、前記オン信号であり、他方は、前記オフ信号である、という構成である。
【００５７】
斯かる構成によれば、第１信号及び第４信号のうち、一方は、オン信号であり、他方は、オフ信号であり、しかも、第２信号及び第３信号のうち、一方は、同じオン信号であり、他方は、同じオフ信号である。これにより、制御部４がオン信号及びオフ信号をそれぞれ一つずつの二つの信号のみを出力することで、送風部３の送風量を制御することができる。
【００５８】
なお、エレベータ制御装置１は、上記した実施形態の構成に限定されるものではなく、また、上記した作用効果に限定されるものではない。また、エレベータ制御装置１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５９】
（１）上記実施形態に係るエレベータ制御装置１においては、制御部４は、送風機の回転速度を制御することによって、送風部３の送風量を制御している、という構成である。しかしながら、エレベータ制御装置１は、斯かる構成に限られない。例えば、図７に示すように、送風部３は、複数の送風機３ｃ，３ｄを備えており、制御部４は、運転する送風機の台数を制御することによって、送風部３の送風量を制御している、という構成でもよい。また、制御部４は、運転する送風機３ｃ，３ｄの台数及び送風機３ｃ，３ｄの回転数の両方を制御することによって、送風部３の送風量を制御している、という構成でもよい。
【００６０】
（２）また、上記実施形態に係るエレベータ制御装置１においては、制御部４は、送風量を制御するために、オン信号及びオフ信号を一つずつの二つの信号のみを出力する、という構成である。しかしながら、エレベータ制御装置１は、斯かる構成に限られない。例えば、制御部４は、図８に示すように、第１オンオフ信号と第２オンオフ信号を出力することで、その組み合わせから４つの信号を出力する、という構成でもよい。斯かる構成においては、送風部３の制御に使用する制御線１ｃは、三本（二つの信号線と一つのコモン線）となる。
【００６１】
（２−１）また、上記実施形態に係るエレベータ制御装置１においては、第１送風量と第２送風量とは、同じ大風量であり、第３送風量と第４送風量とは、同じ小風量である、という構成である。しかしながら、エレベータ制御装置１は、斯かる構成に限られない。例えば、図８に示すように、送風量は、送風駆動部８によって、第１送風量、第２送風量、第３送風量、第４送風量の順で、大きくなっている、という構成でもよい。
【００６２】
具体的には、第１送風量は、大風量であり、第２送風量は、中風量であり、第３送風量は、小風量であり、第４送風量は、送風停止（風量がゼロ）である。例えば、中風量は、大風量の６０〜８０％であり、小風量は、大風量の２０〜５０％である、とすることが好ましい。
【００６３】
（２−２）また、エレベータ制御装置１においては、図９に示すように、第１信号がオン信号で、第２信号がオフ信号であるにも関わらず、第１送風量及び第２送風量は、何れも大風量である、という構成としてもよい。斯かる構成においては、送風駆動部８は、例えば、変圧器や反転回路等を備えていてもよく、また、例えば、送風部３の設置位置が機械室Ｘ３内又は昇降路Ｘ２内の何れかであることを設定する設定部を備えていてもよい。
【００６４】
なお、このような、変圧器、反転回路、設定部等を備えた送風駆動部８を採用した場合でも、位置設定部５に機械室Ｘ３内が設定され且つかご１１が昇降している際においては、温度検出部７が検出する検出温度に関わらず、送風量が同じであり、また、位置設定部５に昇降路Ｘ２内が設定され且つかご１１が昇降している際においては、検出温度が設定温度以上である場合と設定温度未満である場合とで、送風量が異なる、という構成である必要がある。
【００６５】
（３）また、エレベータ制御装置１においては、制御部４から出力された第１〜第４信号は、送風駆動部８で変換されて送風部３に出力される、という構成である。しかしながら、エレベータ制御装置１においては、斯かる構成に限られない。例えば、図１０及び図１１に示すように、制御部４から出力された第１〜第４信号は、送風部３に直接に出力される、という構成でもよい。
【００６６】
斯かる構成においては、例えば、制御部４から、送風部３の送風機の定格電圧のオン信号（例えば、２４Ｖ）である第１及び第２信号を送風部３に出力することで、送風部３の送風量は、大風量となる。一方、制御部４から、オフ信号（０Ｖ）である第３及び第４信号を送風部３に出力する（実際には、送風部３に電圧を供給しておらず、信号を出力していない）ことで、送風部３は停止する。
【００６７】
（４）また、エレベータ制御装置１においては、図１２に示すように、制御部４は、かご１１の位置に基づいて、送風部３の送風量を制御する、という構成でもよい。斯かる構成によれば、送風部３の音がかご１１内のユーザに伝わることを効果的に抑制することができる。
【００６８】
図１２に係る制御部４は、かご１１の位置が設定範囲内（又は設定範囲外）である信号を出力する。そして、制御部４が第２信号と同時に設定範囲内である信号を出力した場合には、送風量は、第２送風量ではなく第３送風量（図１２のハッチング参照）となる。
【００６９】
これにより、検出温度が設定温度以上であって、発熱部品２を冷却する必要性がある場合であっても、かご１１が送風部３の近くに位置する際には、送風量が第２送風量よりも小さい第３送風量となる。したがって、送風部３の音がかご１１内のユーザに伝わることを効果的に抑制することができる。
【００７０】
なお、かご１１の位置を検出する構成は、特に限定されない。例えば、かご１１の位置は、位置検出センサによって設定範囲内（又は設定範囲外）が検出される、という構成でもよい。また、例えば、かご１１の位置は、制御部４がかご１１の位置を演算することによって設定範囲内（又は設定範囲外）が検出される、という構成でもよい。
【００７１】
また、設定範囲は、特に限定されない。例えば、設定範囲は、上下方向で隣接される乗場Ｘ１，Ｘ１間の距離としてもよい。また、例えば、設定範囲は、２ｍ〜３ｍとしてもよい。
【００７２】
（５）また、エレベータ制御装置１においては、図１３に示すように、制御部４は、乗場入力部１６ｂの入力に基づいて、送風部３の送風量を制御する、という構成でもよい。斯かる構成によれば、送風部３の音が、乗場Ｘ１で待機しているユーザに伝わることも抑制することができる。
【００７３】
図１３に係る制御部４は、所定の乗場入力部１６ｂに入力が有る入力有り信号（又は、入力が無い入力無し信号）を出力する。そして、制御部４が第２信号と同時に入力有り信号を出力した場合には、送風量は、第２送風量ではなく第３送風量（図１３のハッチング参照）となる。
【００７４】
これにより、検出温度が設定温度以上であって、発熱部品２を冷却する必要性がある場合であっても、送風部３の近くの乗場Ｘ１にユーザが待機している際に、送風量が第２送風量よりも小さい第３送風量となる。したがって、送風部３の音が所定の乗場Ｘ１で待機しているユーザに伝わることを効果的に抑制することができる。
【００７５】
なお、所定の乗場入力部１６ｂは、特に限定されない。例えば、所定の乗場入力部１６ｂは、送風部３に最も近い乗場入力部１６ｂとしてもよい。また、所定の乗場入力部１６ｂは、送付部３との距離が２ｍ以内である乗場入力部１６ｂとしてもよい。
【符号の説明】
【００７６】
１…エレベータ制御装置、１ａ…第１盤、１ｂ…第２盤、１ｃ…制御線、２…発熱部品（巻上駆動部）、３…送風部、３ａ…給気部、３ｂ…排気部、３ｃ…送風機、３ｄ…送風機、４…制御部、４ａ…記憶部、４ｂ…演算部、４ｃ…巻上制御部、４ｄ…送風制御部、５…位置設定部、６…温度設定部、７…温度検出部、８…送風駆動部、１０…エレベータ、１１…かご、１２…ロープ、１３…釣合錘、１４…巻上機、１５…乗場扉、１６…入力部、１６ａ…かご入力部、１６ｂ…乗場入力部、１７…吊車、Ｘ１…乗場、Ｘ２…昇降路、Ｘ３…機械室
【図１】
2019119552.tif 000003
【図２】
2019119552.tif 000004
【図３】
2019119552.tif 000005
【図４】
2019119552.tif 000006
【図５】
2019119552.tif 000007
【図６】
2019119552.tif 000008
【図７】
2019119552.tif 000009
【図８】
2019119552.tif 000010
【図９】
2019119552.tif 000011
【図１０】
2019119552.tif 000012
【図１１】
2019119552.tif 000013
【図１２】
2019119552.tif 000014
【図１３】
2019119552.tif 000015